(57)【要約】【課題】  安全帯フックによるステップボルトの変形や折損を確実に防止することが可能な構造物のステップボルト取り付け構造を提供する。【解決手段】  基端側に形成されたネジ部１１を用いて柱材２に取り付けられた昇降用のステップボルト１０を有する構造物において、前記ステップボルト１０の基端側に、該ステップボルト１０に掛止された安全帯フック２１のステップボルト先端側への移動を規制するストッパー３０を設ける。作業者はストッパー３０が設けられるステップボルト１０の基端側に安全帯フック２１を掛けながら構造物１を昇ることになり、万一、作業者がバランスを崩した場合でも、安全帯フック２１はストッパー３０によってステップボルト１０の基端側に位置したままとなる。したがって、ステップボルト１０に大きな曲げ荷重が作用することはなく、ステップボルト１０の変形、折損が防止される。【選択図】  図１
2007135805.tif 000002
【特許請求の範囲】
【請求項１】
基端側に形成されたネジ部を用いて柱材に取り付けられた昇降用のステップボルトを有する構造物において、前記ステップボルトの基端側に、該ステップボルトに掛止された安全帯フックのステップボルト先端側への移動を規制するストッパーを設けたことを特徴とする構造物のステップボルト取り付け構造。
【請求項２】
前記ストッパーは、前記ステップボルトの前記ネジ部に螺合されたナットによって前記ステップボルトの基端側に固定されていることを特徴とする請求項１に記載の構造物のステップボルト取り付け構造。
【請求項３】
前記ストッパーは、前記ステップボルトの基端側から先端側に行くにつれて上下方向の幅が小に形成されていることを特徴とする請求項１または２に記載の構造物のステップボルト取り付け構造。
【請求項４】
前記ストッパーには、警戒色が施されていることを特徴とする請求項１から３のいずれか１項に記載の構造物のステップボルト取り付け構造。
【発明の詳細な説明】
【技術分野】
【０００１】
この発明は、電柱や鉄塔等の構造物におけるステップボルト取り付け構造に関し、特に安全帯フックによるステップボルトの変形または折損を防止するようにした構造物のステップボルト取り付け構造に関する。
【背景技術】
【０００２】
送電線や電話線等が架線される電柱や鉄塔等の構造物には、作業者が昇降するためのステップボルトが取り付けられている。作業者が構造物に昇る際は、安全確保のため安全帯が使用され、作業者は安全帯フックをステップボルトに掛けながら昇っていく。しかし、ステップボルトに安全帯フックを掛けた状態で、作業者がバランスを崩しステップボルトから手を離した場合は、大きな曲げ荷重がステップボルトに作用し、ステップボルトの変形、又は折損を招くという問題があった。そこで、ステップボルトに掛止された安全帯フックがステップボルト先端側にずれるのを防止する安全帯が提案されている。（例えば特許文献１、２参照）。これらの安全帯は、フック本体の近傍にステップボルトの外周面を押圧する押圧部材を設け、この押圧部材とステップボルトとの摩擦により、フック本体がステップボルト先端側に移動するのを防止するものである。
【特許文献１】実開平０７−３６６０号公報
【特許文献２】実開平０７−２８５６９号公報
【発明の開示】
【発明が解決しようとする課題】
【０００３】
しかし、上記特許文献１、２のように、安全帯フックを改良しても、不注意により作業者が安全帯フックをステップボルトの先端部に掛けた場合は、上記と同じ問題が生じるおそれがある。すなわち、作業者が不注意によりステップボルトの先端側に安全帯フックを掛け、その状態で作業者がバランスを崩してステップボルトから作業者が手を離した場合は、大きな曲げ荷重がステップボルトに作用し、ステップボルトの変形、又は折損を招くおそれがある。したがって、この問題は安全帯フックの改善のみでは解決することが難しい。
【０００４】
そこで、この発明は、安全帯フックによるステップボルトの変形や折損を確実に防止することが可能な構造物のステップボルト取り付け構造を提供することを目的とする。
【課題を解決するための手段】
【０００５】
上記目的を達成するために請求項１に記載の発明は、基端側に形成されたネジ部を用いて柱材に取り付けられた昇降用のステップボルトを有する構造物において、前記ステップボルトの基端側に、該ステップボルトに掛止された安全帯フックのステップボルト先端側への移動を規制するストッパーを設けたことを特徴とする構造物のステップボルト取り付け構造である。
【０００６】
請求項２に記載の発明は、請求項１に記載の構造物のステップボルト取り付け構造において、前記ストッパーは、前記ステップボルトの前記ネジ部に螺合されたナットによって前記ステップボルトの基端側に固定されていることを特徴としている。
【０００７】
請求項３に記載の発明は、請求項１または２に記載の構造物のステップボルト取り付け構造において、前記ストッパーは、前記ステップボルトの基端側から先端側に行くにつれて上下方向の幅が小に形成されていることを特徴としている。
【０００８】
請求項４に記載の発明は、請求項１から３のいずれか1項に記載の構造物のステップボルト取り付け構造において、前記ストッパーには、警戒色が施されていることを特徴としている。
【発明の効果】
【０００９】
請求項１に記載の発明によれば、作業者はストッパーが設けられるステップボルトの基端側に安全帯フックを掛けながら構造物を昇ることになり、万一、作業者がバランスを崩した場合でも、安全帯フックはストッパーによってステップボルトの基端側に位置したままとなる。したがって、ステップボルトに大きな曲げ荷重が作用することはなく、ステップボルトの変形、折損が防止される。
【００１０】
請求項２に記載の発明によれば、ストッパーは、ステップボルトのネジ部に螺合されているナットを用いてステップボルトの基端側に固定されているので、ストッパーを固定するための新たな部品は不要となる。また、ナットでストッパーを固定するだけで、既存のステップボルトをストッパーを備えたステップボルトにすることができる。
【００１１】
請求項３に記載の発明によれば、ストッパーの上下方向の幅は、ステップボルトの基端側から先端側に行くにつれて小に形成されているので、ストッパー先端側がステップボルト上面から突き出すのを回避することができ、ステップボルトにおける踏面範囲を十分に確保することができる。
【００１２】
請求項４に記載の発明によれば、ストッパーに警戒色が施されているので、構造物を昇る際には作業者のストッパーに対する注意力が向上し、安全帯フックをストッパーが位置するステップボルト基端側に確実に掛けることができる。
【発明を実施するための最良の形態】
【００１３】
つぎに、この発明の実施の形態について、図面を用いて詳しく説明する。
（実施の形態１）
図１ないし図７は、本発明の実施の形態１を示している。図７において、符号１は、構造物としての高圧送電線路用の鉄塔を示している。この鉄塔１は、主柱材２、腕金主材３、腕金吊材４、基礎材５、および腹材８等から構成されている。主柱材２は、四隅に設けられ地表から上方に延びる部材であり、柱としての機能を有する。腕金主材３は、碍子を介して送電線を吊り下げる機能を有する。腕金吊材４は、腕金主材３を主柱材２側から支持する機能を有する。基礎材５は、地中に埋設される主脚材６および碇材７から構成されており、主柱材２の下部は主脚材６と連結されている。鉄塔１に用いられている部材で、上記以外の部材は腹材８と呼ばれる。
【００１４】
柱材としての主柱材２には、作業者が点検等に使用する昇降用のステップボルト１０が上下方向に所定間隔をもって取り付けられている。図１に示すように、主柱材２が位置するステップボルト１０の基端部には、ネジ部（雄ネジ）１１が形成されている。ステップボルト１０のネジ部１１に連なる中央部分は、作業者の足場となる踏面部１２に形成されている。踏面部１２の直径は、ネジ部１１の径とほぼ同じとなっている。ステップボルト１０の踏面部１２の先端には、頭部１３が形成されている。頭部１３は、踏面部１２の直径よりも大に形成されており、先端面は半球面状となっている。
【００１５】
ステップボルト１０のネジ部１１は、柱材２の取付け孔２aに挿通されている。ステップボルト１０のネジ部１１には、二つのナット１５、１６が螺合されており、主柱材２は第１ナット１５と第２ナット１６とに挟まれている。第１ナット１５は、主柱材２の外面２ｂ側に位置しており、踏面部１３に隣接する位置までねじ込まれている。第２ナット１６は、主柱材１１の裏面２ｃ側に位置している。ステップボルト１０は、この第２ナット１６の締付けによって主柱材２に固定されている。
【００１６】
図３は、作業者が鉄塔１に昇る際に用いる安全帯２０を示しており、作業者はステップボルト１０に安全帯フック２１が掛けながら鉄塔１を昇ることになる。安全帯フック２１の先端近傍には、外れ止め２２が設けられている。外れ止め２２は、図示しないバネにより常時フック先端側に付勢されている。外れ止め２２は、作業者の押圧力によるステップボルト１０との接触により、安全帯フック２１の内側に揺動するようになっている。したがって、安全帯フック２１をステップボルト１０に掛止させた状態では、外れ止め２２の内側にステップボルト１０が位置することになる。安全帯フック２１には、作業者を拘束するためのロープ２３が連結されている。
【００１７】
ステップボルト１０の基端側には、ステップボルト１０に掛止された安全帯フック２１の動きを規制するストッパー３０が取り付けられている。図１および図４に示すように、ストッパー３０は、板状の金属部材からなり、折り曲げ加工により平面形状が略コの字型になっている。この折り曲げ加工により、ストッパー３０には、基端部３１、連設部３２、先端部３３が形成されている。基端部３１は、主柱材２の外面２ｂに沿って水平方向外方に延びる部位である。連設部３２は、基端部３１の終端からステップボルト１０の軸心Ｃと平行にステップボルト１０の先端側に延びる部位である。先端部３２は、連設部３２の終端からステップボルト１０の軸心Ｃに向かって延びる部位である。
【００１８】
ストッパー３０の基端部３１には、ステップボルト１０のネジ部１１が挿通される孔３５が形成されている。ストッパー３０の基端部３１は、第２ナット１６の締付けによって第１ナット１５と柱材２とによって挟持されている。ストッパー３０がステップボルト１０の基端側に取付けられた状態では、ストッパー３０の先端３３aは、ステップボルト１０の踏面部１２に接触している。ストッパー３０には、警戒色として例えば赤色が施されている。主柱材２およびステップボルト１０は、表面が亜鉛メッキ等の防錆処理により灰色をしているので、赤色のストッパー３０は作業者にとって著しく目立つことになる。
【００１９】
つぎに、この実施の態様１における作用について説明する。作業者が鉄塔１に昇る際には、まず主柱材２に設けられたステップボルト１１を足場として昇り始める。図２の矢印Ｓは、作業者の昇塔によるステップボルト１０に作用する荷重の方向を示している。昇塔時には、作業者は安全帯２０を携帯しており、安全帯フック２１をステップボルト１０に掛けながら昇塔する。ステップボルト１０の基端側には、ストッパー３０が取り付けられているので、作業者は安全帯フック２１をストッパー３０の基端部３１と先端部３３との間にあるステップボルト１０の部位に掛けることになる。ここで、ストッパー３０には赤色の警戒色が施されているので、昇塔時におけるストッパー３０に対する作業者の注意力が向上し、安全帯フック２１は確実にストッパー３０の基端部３１と先端部３３との間に掛けられる。
【００２０】
万一、昇塔中に作業者がバランスを崩し、ステップボルト１０から手を離した場合でも、安全帯フック２１は、ストッパー３０の先端部３３との当接によりステップボルト先端側への移動が規制されるので、安全帯フック２１はステップボルト１０の基端側に位置したままとなり、ステップボルト１０の基端側にのみバランスの崩れによる荷重が作用することになる。したがって、ステップボルト１０に大きな曲げ荷重が作用することはなく、ステップボルト１０の変形、折損が確実に防止される。
（実施の形態２）
図８は、本発明の実施の形態２を示しており、ストッパーの基端部の変形例である。ストッパー３０の基端部３１には、切欠孔３６が形成されている。切欠孔３６は、基端部３１の端面３１aから基端部３１の中央部に向かって延びている。切欠孔３６は、切欠幅Ｗがステップボルト１０のネジ部１１の径よりも若干大きく形成されている。
【００２１】
実施の態様１において、従来の鉄塔１にストッパー３０を後付けする場合は、第２ナット１６をステップボルト１０のネジ部１１から取り外し、その後ステップボルト１０を主柱材２の取付け孔２aから引き抜かなければ、ストッパー３０をステップボルト１０の基端部に取り付けることができない。これに対し、本実施の態様２においては、切欠孔３６によってステップボルト１０を主柱材２から取り外すことなく、ストッパー３０の取り付けが可能となる。切欠孔３５を有するストッパー３０の取り付けは、つぎのように行われる。まず、第２ナット１６を工具（図示略）により緩ませ、第１ナット１５と主柱材２との間に隙間を生じさせる。この隙間に、ストッパー３０の基端部３１を挿入することにより、切欠孔３６にはステップボルト１０のネジ部１１が入り込んだ状態となる。この状態で第２ナット１６を工具にて締付けることにより、ストッパー３０は第１ナット１５と主柱材２とによって挟持され、ストッパー３０はステップボルト１０の基端側に固定される。
【００２２】
ところで、ナット１５、１６は、ストッパー３０を備えていない既存のステップボルト取り付け構造においても使用されているが、本実施形態のように、ナット１５、１６を用いてステップボルト１０の基端側にストッパー３０を固定できるので、ストッパー３０を固定するための新たな部品は不要となる。また、ナット１５、１６でストッパー３０を固定するだけで、既存のステップボルト取り付け構造をストッパー３０を備えたステップボルト取り付け構造にすることができる。
（実施の形態３）
図９および図１０は、本発明の実施の形態３を示しており、ストッパーの連設部と先端部の変形例である。実施の態様１では、ストッパー３０の連設部３２の上面および先端部３３の上面は、ステップボルト１０の踏面部１２から上方に突出しており、ステップボルト１０の踏面範囲が狭くなっている。本実施の態様３においては、ステップボルト１０の踏面範囲を拡大するために、ストッパー３０は、ステップボルト１０の基端側から先端側に行くにつれて上下方向の幅が小に形成されている。ストッパー３０の連設部３２´における上面側は、ステップボルト１０の先端側にいくにつれて下りとなる傾斜面３２´aに形成されている。同様に、連設部３２´における下面側は、ステップボルト１０の先端側にいくにつれて上りとなる傾斜面３２´ｂに形成されている。これにより、連設部３２´は、図９に示すように、基端部３１側の折り曲げ部を下底、先端部３３´側の折り曲げ部を上底とする台形状となっている。先端部３３´の上下方向の幅は、図１０に示すように一定であり、ステップボルト１０の踏面部１２の直径とほぼ同じ値となっている。本実施の態様３においては、実施の態様１に比べてストッパー３０における連設部３２´および先端部３３´のステップボルト１０の踏面部１２からの突き出し量が抑制され、ステップボルト１０の踏面範囲を拡大することができる。
（実施の形態４）
図１１は、本発明の実施の形態４を示しており、ストッパーの基端部の変形例である。ステップボルト１０は鉄塔だけでなく、電柱にも取り付けられるので、本実施の態様４では、電柱に取付けられたステップボルトの取り付け構造について説明する。図１１において、符号４０は、断面形状が円形の電柱を示している。ステップボルト１０のネジ部１１は、電柱４０の柱材４１に形成されたネジ孔４２に螺合されている。ストッパー３０の基端部３１´’は、柱材４１の外周面形状に合致した円弧状に形成されている。ステップボルト１０のネジ部１１には、ナット１５が螺合されており、このナット１５はネジ部１１の踏面部１２側に位置している。基端部３１´の孔３５には、ステップボルト１０が挿通されており、ストッパー３０の基端部３１´はナット１５と柱材４０とにより挟まれている。ストッパー３０は、このナット１５の締付けによってステップボルト１０の基端側に固定されている。
【００２３】
本実施の態様４においては、ストッパー３０の基端部３１´が柱材４１の外周面形状に合致した形状に形成されているので、基端部３１´を柱材４１に密着させることができ、ストッパー３０を強固に固定することができる。また、基端部３１´が円弧状となっているので、基端部３１´が柱材４１に密着するように取り付ければ、必然的にストッパー３０の取り付け姿勢が定まる。したがって、ストッパー３０の取り付け時には、ストッパー３０の取り付け姿勢を調整する必要がなくなり、取り付け作業能率を高めることができる。
【００２４】
以上、この発明の実施の形態１〜４を詳述してきたが、具体的な構成はこれらの実施の形態に限られるものではなく、この発明の要旨を逸脱しない範囲の設計の変更等があっても、この発明に含まれる。例えば、ストッパーを二分割可能なリング状部材から構成し、このリング状部材をビス等を用いてステップボルトの基端側に取り付ける構造としてもよい。本発明の構造物のステップボルト取り付け構造は、送電線用鉄塔や電柱等の構造物だけでなく、作業者が昇降する必要のある他の構造物にも使用できることは勿論である。
【図面の簡単な説明】
【００２５】
【図１】本発明の実施の形態１に係わる構造物のステップボルト取り付け構造の平面方向から見た部分断面図である。
【図２】図１のＡ−Ａ断面図である。
【図３】図２のＢ−Ｂ断面図である。
【図４】図１におけるストッパーを平面方向から見た断面図である。
【図５】図４におけるストッパーを正面方向から見た断面図である。
【図６】図５におけるストッパーの側面図である。
【図７】図１のステップボルトが取り付けられる鉄塔の正面図である。
【図８】本発明の実施の形態２に係わる構造物のステップボルト取り付け構造におけるストッパーの側面図である。
【図９】本発明の実施の形態３に係わる構造物のステップボルト取り付け構造の正面方向から見た部分断面図である。
【図１０】図９におけるストッパーの側面図である。
【図１１】本発明の実施の形態４に係わる構造物のステップボルト取り付け構造の平面方向から見た部分断面図である。
【符号の説明】
【００２６】
１          鉄塔（構造物）
２          主柱材（柱材）
１０        ステップボルト
１１        ネジ部
１２        踏面部
１３        頭部
１５        第１ナット
１６        第２ナット
２０        安全帯
２１        安全帯フック
２２        外れ止め
３０        ストッパー
３１        基端部
３１´      基端部
３２        連設部
３２´      連設部
３２´a     傾斜面
３３        先端部
３３´      先端部
３５        孔
３６        切欠孔
４０        電柱（構造物）
４１        柱材
【図１】
2007135805.tif 000003
【図２】
2007135805.tif 000004
【図３】
2007135805.tif 000005
【図４】
2007135805.tif 000006
【図５】
2007135805.tif 000007
【図６】
2007135805.tif 000008
【図７】
2007135805.tif 000009
【図８】
2007135805.tif 000010
【図９】
2007135805.tif 000011
【図１０】
2007135805.tif 000012
【図１１】
2007135805.tif 000013